(57)【要約】【課題】  回転による切換操作で一つの電動工具を二つの作業に使用できるようにする新規の電動工具のアタッチメントを提供する。【解決手段】  電動工具本体部に着脱しうるカバー体と、カバー体に設けた上記電動工具本体部の出力軸との連結により回転する従動軸と、従動軸の外端に設けた割り溝と、割り溝の外端部内に回転しうる状態に軸承した回転体と、回転体の周面に設けた一対の工具取付け部と、各工具取付け部に設けた工具を遠心方向に向く状態に支持する工具着脱用の工具支持具とを備え、どちらか一方の工具取付け部に装着した工具が上記回転体の回転による切換操作により使用できる状態にされたときには、他方の工具取付け部に装着した工具が割り溝内に格納された状態を維持しかつ出力軸および従動軸並びに当該使用できる状態の工具が単一の直線上に存する状態を維持する構成にされたことを特徴とする。【選択図】  図４
0003121770.tif 000002
【実用新案登録請求の範囲】
【請求項１】
電動工具本体部に着脱しうるカバー体と、カバー体に設けた上記電動工具本体部の出力軸との連結により回転する従動軸と、従動軸の外端に設けた割り溝と、割り溝の外端部内に回転しうる状態に軸承した回転体と、回転体の周面に設けた一対の工具取付け部と、各工具取付け部に設けた工具を遠心方向に向く状態に支持する工具着脱用の工具支持具とを備え、どちらか一方の工具取付け部に装着した工具が上記回転体の回転による切換操作により使用できる状態にされたときには、他方の工具取付け部に装着した工具が割り溝内に格納された状態を維持しかつ出力軸および従動軸並びに当該使用できる状態の工具が単一の直線上に存する状態を維持する構成にされたことを特徴とする電動工具のアタッチメント。
【考案の詳細な説明】
【技術分野】
【０００１】
本考案は、回転による切換操作で一つの電動工具を二つの作業に使用できるようにする電動工具のアタッチメントに関する。
【背景技術】
【０００２】
従前、電動工具としては、手で持つことができるケース体の先端部に設けられた一つの工具取付け部にドリルビット、ドライバービット等工具を付け替えて孔開け作業、ねじ込み作業をするようにした一作業用タイプのもの（以下、従来例１という）や、特許文献１に開示されている二股に分かれた二つの工具取付け部が設けられている二作業用タイプ（以下、従来例２という）のものが知られている。
【０００３】
そもそも、電動工具を用いて行なう各種の作業は、例えば鉄骨、コンクリート、木材等に孔を開ける等の場合には下孔を開けてから本孔を開ける、あるいはコンクリート、木材にねじを取付ける場合には下孔を開けてからねじをねじ込むというような二段方式で行われることが多い。
【０００４】
しかしながら、従来例１の電動工具により上記のような二段方式の作業を行う場合には、工具取付け部に下孔用のドリルビットと仕上げ用のドリルビットを付け替える作業、あるいは下孔用のドリルビットとドライバービットを付け替える作業を行なわなければならないか、もしくは二台の電動工具を手元に用意しておいて使い分けなければならないという欠点があった。すなわち、従来例１の電動工具による場合には、手間がかかる煩わしい付け替え動作や持ち替え動作が必要であり、作業の能率アップに限界があった。
【０００５】
また、従来例２の電動工具により同様の二段方式の作業を行う場合には、その二個の工具取付け部のそれぞれに後続の作業に必要な下孔用のドリルビット、本孔用のドリルビットあるいはドライバービット等工具を作業前に付けた状態にしてさえあれば、作業中にはチェンジレバーによる切換操作だけで任意に選択して使用することができるから、二段方式作業を流れよく行うことができていた。しかしながら、この従来例２の電動工具によれば上記の従来例１によるような欠陥を解消することができる利点はあるが、構造的に、その工具取付け部の軸心の向きが電動工具の本体部側にある出力軸の軸心の向きに対して傾斜した状態になっているために、本体部側に加えられる作業者の力が工具取付け部の軸心すなわちドリルビットあるいはドライバービットには分力（分散）して加えられる格好になるので、孔明け作業あるいはねじ込み作業を行う場合には、方向を決め整える余分な力が必要で作業し辛く、失敗を起し易いというような欠陥があった。また、孔明け作業あるいはねじ込み作業には、工具取付け部に装着してあるドリルビット、ドライバービット等工具の一つを使用して行うものであるから、結果として残りのドリルビット、ドライバービット等工具が所謂飛び出して作業の邪魔になる問題もあった。
【特許文献１】特開平９−２９５２８５号公報
【考案の開示】
【考案が解決しようとする課題】
【０００６】
本考案は、以上のような従来の欠点や問題に鑑み、工具取付け部に対するドリルビット、ドライバービット等工具の付替え操作を行わなくとも下孔を開けてから引き続き本孔を開けたり、下孔を開けてからねじをねじ込んだりする等の作業を簡単に且つ流れよくできるようにする新規の電動工具のアタッチメントを提供することを課題とする。
【課題を解決するための手段】
【０００７】
上記課題を達成するために、本考案に係る電動工具のアタッチメントは、電動工具本体部に着脱しうるカバー体と、カバー体に設けた上記電動工具本体部の出力軸との連結により回転する従動軸と、従動軸の外端に設けた割り溝と、割り溝の外端部内に回転しうる状態に軸承した回転体と、回転体の周面に設けた一対の工具取付け部と、各工具取付け部に設けた工具を遠心方向に向く状態に支持する工具着脱用の工具支持具とを備え、どちらか一方の工具取付け部に装着した工具が上記回転体の回転による切換操作により使用できる状態にされたときには、他方の工具取付け部に装着した工具が割り溝内に格納された状態を維持し且つ出力軸および従動軸並びに当該使用できる状態の工具が単一の直線上に存する状態を維持する構成にされたことを特徴とするものである。
【０００８】
本考案に係る電動工具のアタッチメントは、電動工具の本体部にカバー体を装着し、一方側および他方側の工具取付け部に作業目的に適合する機能を備えた工具例えばドリルビット、ドライバービットを装着して使用するものである。そして、作業目的に応じて、一方側の工具取付け部に装着した工具を使用できる状態および他方側の工具取付け部に装着した工具を格納状態にする切換操作すなわち回転体を回転させる切換操作を適宜行って使用するようにしたものである。
【０００９】
すなわち、後述するように例えば一方の工具取付け部にドリルビットを装着し他方側の工具取付け部にドライバービットを装着した状態にあっては、ドリルビットにより下孔を開けた直後に回転体に回転操作を加えて切換えることでドライバービットを使用できる状態にし、そして上記下孔にドライバービットによりねじをねじ込む等の作業を行うことができる。
【考案の効果】
【００１０】
本考案に係る電動工具のアタッチメントによれば、下孔を形成したのちに当該下孔にねじをねじ込む場合等のように、続けて２つのビットを用いて作業を行うときには、ビット等工具の交換作業が不要になるから、結果として流れよく作業を行なうことができる。したがって、効率のよい作業を手際よく行なうことができる。また、使用に供するビット等工具の選択は、回転体に回転操作を加える簡単な切換操作で容易にできる。
【００１１】
また、本考案に係る電動工具のアタッチメントを用いて行う孔開け作業、ねじ込み作業のときには、上記のように出力軸、従動軸およびビット等工具が一本の直線を形成する向きの並び状態になるようにしてあるので、上記従来例２のような力の分力（分散）がなく、上記したような余分な力を必要としない状態で効果的に作業をすることができるのみならず作業ミスを少なくできる。
【００１２】
さらに、一方の工具取付け部に装着した工具の使用時には、他方の工具取付け部に装着した工具が上記割り溝内に格納された状態を維持するようにしたので、上記力の分力（分散）がない効果的作業を安定してできる。
【００１３】
また、ビット等工具を取付ける回転体の軸承および使用しない方のビット等工具の格納は、従動軸の先端面に深い割り溝を設けて確保するようにしたので、全体として構成の簡略化、コンパクト化ができる。
【００１４】
また、一方側の工具取付け部に装着した工具の使用時には、他方側の工具取付け部に装着した工具が割り溝内に隠れた状態になるようにしたので、安全に作業ができる。
【００１５】
さらには、回転体の周面に設けた各工具取付け部には、工具を着脱可能に支持する工具支持具を設けたので、ビット等工具の付け替え操作、準備作業が容易にできる。
【考案を実施するための最良の形態】
【００１６】
以下、本考案の実施の形態に係る電動工具のアタッチメント１を図面に基づいて説明する。なお、図１は要部を拡大して示す一部切截平面図であり、図２は図１ＡーＡ線断面図である。図３はドリルビットにより下孔開け作業をできるようにした状態で示す全体の平面図であり、図４は同じく側面図である。図５はドライバービット側に切換えてねじ込み作業をできるようにした状態で示す全体の平面図である。
【００１７】
図１〜５にあって、２は、スイッチのオン・オフ操作で起動・停止ができる電動工具本体部である。この電動工具本体部２は、手で持つことができる握り部３を後端部の下面に有する外装ケース４と、握り部３の下端部に取付けた蓄電池５と、この蓄電池５から受電して駆動する内蔵モータ（図示せず）と、上記外装ケース４の先端部にその先端が外に突出した状態で有する上記内蔵モータにより駆動する出力軸６等を備えた構成にされている。
【００１８】
７は、上記電動工具本体部２に着脱しうるようにしたカバー体である。なお、ここでは当該カバー体７の着脱構造の詳細な説明は省略する。このカバー体７は、上記出力軸６と同じ軸心線上で同出力軸６に連結されて一体に回転する外端面に深い割り溝８aを有する従動軸９と、割り溝８aの外端部内に上記軸心線に直交する向きの支軸１０により回転しうる状態に軸承した回転体１１と、当該回転体１１の周面に設けた一対の工具取付け部１２a、１２bを備えている。上記電動工具本体部２の出力軸６に対する従動軸９の連結は、カバー体７の取付操作により自動的に連結状態なり、外し操作により分離するようにしてあるが、その構造は本考案の要点ではないのでその詳細な説明はここでは省略する。
【００１９】
上記の各工具取付け部１２a、１２bには、使用者により任意に異なる工具たとえばドリルビット１３a、ドライバービット１３bが付け替え可能に取付けられ、孔明け作業、ねじ込み作業等に使用できるようにしてある。この場合、図に示すように、一方の工具取付け部１２aに装着したドリルビット１３aを使用できる状態にした時には、他方の工具取付け部１２bに装着したドライバービット１３bが上記割り溝７内に作業の邪魔にならないように格納される。なお、８bは、当該格納されるドライバービット１３b等工具を割り溝８a内に導入するための導入溝であり、工具が短くカバー体７が上記導入の邪魔にならないような場合には設けないで実施することができる。
【００２０】
１４a、１４bは、上記の各工具取付け部１２a、１２bに取付けられた工具支持具である。これら各工具支持具１４a、１４bには、工具としてのドリルビットやドライバービット等の付け替えを可能にする、一般に使用されているチャックが用いられている。ここでは当該チャックの構成についての詳細な説明は省略する。
【００２１】
１６は、上記ドリルビット１３aの使用およびドライバービット１３bの格納の状態を維持する切換位置維持装置であって、凹部１７aと当該凹部１７aに嵌合、脱出するボール１７bとにより構成してある。
【００２２】
なお、本考案の実施の形態では、工具支持具１４a、１４bとしてチャックを用いているが、本考案はこれに限らず、嵌合固定、磁石嵌合固定、締付け固定等を用いることができ、ドリルビットやドライバービット等を着脱可能に固定できる機構であればどんな機構を用いてもよく、また、上記の切換位置維持装置１６は、凹部１７aとボール１７bを用いているが、本考案は回転体１１に対して切換のための力が外部から加えられたときには外れ、使用・格納の位置では固定する機能を果たす機構であればどんな機構を用いて実施してもよい。
【００２３】
したがって、上記実施の形態に係る電動工具のアタッチメント１は、電動工具本体部２にカバー体７を装着してからドリルビット１３aを使用できる状態（図５参照）にすると共にドライバービット１３bを格納状態にし、然るのちに握り部３を持ち、スイッチ１８をオンの状態にしてドリルビット１３aを回転させることにより下孔を開けることができる。そして、下孔を開けた直後にはドライバービット１３bを使用できる状態（図３参照）に切換え、スイッチ１８をオンの状態にして当該ドライバービット１３bにより上記下孔にねじをねじ込む等のことができる。
【００２４】
また、必要に応じて、一方の工具取付け部１２aに下孔用のドリルビットを取付け且つ他方の工具取付け部１２bに本孔用ドリルビットを取付けたときには、下孔を開けた直後に切替え操作を行うことで本孔を開けることができる。また、一方の工具取付け部１２aに大ドライバービットを取付け他方の工具取付け部１２bに小ドライバービットを取付けたときには、大きいねじのねじ込みの後に小さいねじをねじ込んだり、小さいねじのねじ込みの後に大きいねじをねじ込んだりする等の使用ができる。よって、作業者は、例えばドライバービット付きの電動工具とドリルビット付きの電動工具等２つの電動工具を用意してそれらを持ち替えて使い分ける必要がなくなり、工具交換の手間から生じていた作業性の悪さが解消でき、顕著な時短ができる。
【００２５】
なお、本考案によれば、上記カバー７は、電動工具本体部２の外装ケース４をもって兼ねる所謂一体構成にすることが容易に可能であるので、本考案に係るアタッチメントの２段階作業対応機能と同様の機能を備えた一体型の電動工具を提供することができる。このように構成された一体型の電動工具にも本考案は及ぶものとする。
【図面の簡単な説明】
【００２６】
【図１】本考案の要部を拡大して示す一部切截平面図である。
【図２】図１ＡーＡ線断面図である。
【図３】ドライバービットを使用可能にした状態で示す全体の平面図である。
【図４】同じく側面図である。
【図５】ドリルビットを使用可能にした状態で示す全体の平面図である。
【符号の説明】
【００２７】
１  アタッチメント
２  電動工具本体部
３  握り部
４  外装ケース
５  蓄電池
６  出力軸
７  カバー体
８a  割り溝
８b  導入溝
９  従動軸
１０  支軸
１１  回転体
１２a、１２b  工具取付け部
１３a  ドリルビット
１３b  ドライバービット
１４a、１４b  工具支持具
１６  切替位置維持装置
１７a  凹部
１７b  ボール
１８  スイッチ
【図１】
0003121770.tif 000003
【図２】
0003121770.tif 000004
【図３】
0003121770.tif 000005
【図４】
0003121770.tif 000006
【図５】
0003121770.tif 000007